(57)【要約】      （修正有）【課題】ピンなどを使用することなく簡単にねじりヘアなどのアレンジヘアを作ることができる髪留め具を提供する。【解決手段】髪留め具１は、髪留めベース１０と、ねじり髪保持部２０と、装飾部３０と、クリップ４０と、クリップ保持部５１，５２とを備える。髪留めベース１０は、第１の面ファスナ部１１と、第２の面ファスナ部１２と、これらの間に位置する中央部１３とを有している。ねじり髪保持部２０は、第１の面ファスナ部１１に対応する第３の面ファスナ部２１と、第２の面ファスナ部１２に対応する第４の面ファスナ部２２と、これらの間に位置し、髪留めベース１０の中央部１３に取り付けられる取付部２３とを有している。クリップ４０は、第１のクリップ片４１と第２のクリップ片４２との間に髪を挟持するように構成されている。クリップ保持部５１，５２は、髪留めベース１０の下面に第１のクリップ片４１を保持する。【選択図】図３
0003192376.tif 000002
【実用新案登録請求の範囲】
【請求項１】
第１の面ファスナ部と、第２の面ファスナ部と、前記第１の面ファスナ部と前記第２の面ファスナ部との間に位置する中央部とを有する髪留めベースと、
前記髪留めベースの第１の面ファスナ部に対応する第３の面ファスナ部と、前記髪留めベースの第２の面ファスナ部に対応する第４の面ファスナ部と、前記第３の面ファスナ部と前記第４の面ファスナ部との間に位置する取付部であって、前記髪留めベースの中央部に取り付けられる取付部とを有するアレンジ髪保持部と、
前記アレンジ髪保持部の第３の面ファスナ部及び前記第４の面ファスナ部とは反対側の面に取り付けられる装飾部と、
第１のクリップ片と第２のクリップ片とを有するクリップであって、前記第１のクリップ片と前記第２のクリップ片との間に髪を挟持可能なクリップと、
前記髪留めベースの前記第１の面ファスナ部及び前記第２の面ファスナ部とは反対側の面に前記クリップの第１のクリップ片を保持するクリップ保持部と、
を備えたことを特徴とする髪留め具。
【請求項２】
前記クリップの前記第２のクリップ片は、互いに平行に延びる複数の櫛歯部からなることを特徴とする請求項１に記載の髪留め具。
【請求項３】
前記複数の櫛歯部のそれぞれは、先端側に円環状の押さえ部を有することを特徴とする請求項２に記載の髪留め具。
【請求項４】
前記クリップ保持部を前記髪留めベースに縫い付けて固定したことを特徴とする請求項１から３のいずれか一項に記載の髪留め具。
【請求項５】
前記クリップ保持部は面ファスナを有することを特徴とする請求項１から４のいずれか一項に記載の髪留め具。
【考案の詳細な説明】
【技術分野】
【０００１】
本考案は、髪留め具に係り、特にねじりヘアなどのアレンジした髪形を作る際に使用される髪留め具に関するものである。
【背景技術】
【０００２】
近年、ねじりヘアと呼ばれる、複数の髪束をねじってまとめる髪形が女性の間で人気となっている。このねじりヘアを作る際には、ねじった髪束をピンなどでそれぞれ保持しておき、すべての髪束をねじった後にこれらの髪束をまとめる必要がある。したがって、髪束をねじっている途中やねじった髪束をまとめている途中に、ピンで保持していた髪束のねじりがほどけてしまうことがあり、ねじりヘアを作るのにはある程度の技量が必要とされている。
【考案の概要】
【考案が解決しようとする課題】
【０００３】
本考案は、このような従来技術の問題点に鑑みてなされたもので、ピンなどを使用することなく簡単にねじりヘアなどのアレンジヘアを作ることができる髪留め具を提供することを目的とする。
【課題を解決するための手段】
【０００４】
本考案の一態様によれば、ピンなどを使用することなく簡単にねじりヘアなどのアレンジヘアを作ることができる髪留め具が提供される。この髪留め具は、髪留めベースと、アレンジ髪保持部と、装飾部と、クリップと、クリップ保持部とを備えている。上記髪留めベースは、第１の面ファスナ部と、第２の面ファスナ部と、上記第１の面ファスナ部と上記第２の面ファスナ部との間に位置する中央部とを有している。上記アレンジ髪保持部は、上記髪留めベースの第１の面ファスナ部に対応する第３の面ファスナ部と、上記髪留めベースの第２の面ファスナ部に対応する第４の面ファスナ部と、上記第３の面ファスナ部と上記第４の面ファスナ部との間に位置する取付部であって、上記髪留めベースの中央部に取り付けられる取付部とを有している。上記装飾部は、上記アレンジ髪保持部の第３の面ファスナ部及び上記第４の面ファスナ部とは反対側の面に取り付けられる。上記クリップは、第１のクリップ片と第２のクリップ片とを有し、上記第１のクリップ片と上記第２のクリップ片との間に髪を挟持するように構成されている。上記クリップ保持部は、上記髪留めベースの上記第１の面ファスナ部及び上記第２の面ファスナ部とは反対側の面に上記クリップの第１のクリップ片を保持する。
【０００５】
ここで、上記クリップの上記第２のクリップ片は、互いに平行に延びる複数の櫛歯部からなることが好ましく、上記複数の櫛歯部のそれぞれは、先端側に円環状の押さえ部を有することが好ましい。また、上記クリップ保持部を上記髪留めベースに縫い付けて固定してもよい。また、上記クリップ保持部が面ファスナを有していてもよい。
【考案の効果】
【０００６】
本考案によれば、クリップによって髪留め具を後ろ髪に固定できるので、アレンジヘアを作っている途中で髪留め具がずれ落ちることがなく、また両手を使ってアレンジヘアを作ることができる。また、髪留め具を後ろ髪に固定した状態で、左右のアレンジ髪束を別々にアレンジ髪保持部に保持することができるので、ピンなどを使用することなく簡単にアレンジヘアを作ることができる。さらに、アレンジ髪束の保持のために面ファスナを用いているので、アレンジ髪束の量が比較的多くてもアレンジ髪保持部にアレンジ髪束を保持することができ、またアレンジ髪束の形くずれを防止することができる。
【図面の簡単な説明】
【０００７】
【図１】本考案の一実施形態における髪留め具を示す平面図である。
【図２】図１の髪留め具の底面図である。
【図３】図１の髪留め具の模式的断面図である。
【図４】図１の髪留め具の髪留めベース及びクリップ保持部を示す底面図である。
【図５】図１の髪留め具の髪留めベースを示す平面図である。
【図６】図１の髪留め具のねじり髪保持部を示す底面図である。
【図７】図１の髪留め具のクリップを示す平面図である。
【図８】図１の髪留め具のクリップを示す底面図である。
【図９Ａ】図１の髪留め具の使用方法を説明する模式図である。
【図９Ｂ】図１の髪留め具の使用方法を説明する模式図である。
【図９Ｃ】図１の髪留め具の使用方法を説明する模式図である。
【考案を実施するための形態】
【０００８】
以下、本考案に係る髪留め具の実施形態について図１から図９Ｃを参照して詳細に説明する。なお、図１から図９Ｃにおいて、同一又は相当する構成要素には、同一の符号を付して重複した説明を省略する。
【０００９】
図１は本考案の一実施形態における髪留め具１を示す平面図、図２は底面図、図３は模式的断面図である。図１から図３に示すように、本実施形態における髪留め具１は、布などからなる髪留めベース１０と、髪留めベース１０の上面側に取り付けられたねじり髪保持部（アレンジ髪保持部）２０と、ねじり髪保持部２０の上面に取り付けられたリボンなどの装飾部３０と、髪留めベース１０の下側に配置されたクリップ４０と、クリップ４０を保持するためのクリップ保持部５１，５２とを備えている。
【００１０】
図４は髪留めベース１０及びクリップ保持部５１，５２を示す底面図、図５は、髪留めベース１０の平面図であり、図６はねじり髪保持部２０の底面図である。図３及び図５に示すように、髪留めベース１０の上面には、第１の面ファスナ部１１と第２の面ファスナ部１２とからなる面ファスナが全面に形成されている。また、図３及び図６に示すように、ねじり髪保持部２０の下面には、第３の面ファスナ部２１と第４の面ファスナ部２２とからなる面ファスナが全面に形成されている。このねじり髪保持部２０の第３の面ファスナ部２１は、髪留めベース１０の第１の面ファスナ部１１に対応しており、第４の面ファスナ部２２は髪留めベース１０の第２の面ファスナ部１２に対応している。図３に示すように、ねじり髪保持部２０の第３の面ファスナ部２１と第４の面ファスナ部２２との間に位置する取付部２３が、髪留めベースの第１の面ファスナ部１１と第２の面ファスナ部１２との間の中央部１３に例えば熱圧着や縫製により取り付けられている。
【００１１】
このような構成により、ねじり髪保持部２０の第３の面ファスナ部２１は、髪留めベース１０の第１の面ファスナ部１１に対して着脱自在となっており、ねじり髪保持部２０の第４の面ファスナ部２２は、髪留めベース１０の第２の面ファスナ部１２に対して着脱自在となっている。すなわち、ねじり髪保持部２０の下面の面ファスナは、取付部２３を中心として左右に髪留めベース１０の上面の面ファスナから着脱自在となっている。そして、ねじり髪保持部２０の第３の面ファスナ部２１と髪留めベース１０の第１の面ファスナ部１１との間及びねじり髪保持部２０の第４の面ファスナ部２２と髪留めベース１０の第２の面ファスナ部１２との間にそれぞれねじり髪を保持できるようになっている。
【００１２】
装飾部３０は、ねじり髪保持部２０の上面、すなわちねじり髪保持部２０の面ファスナが形成された面とは反対側の面に取り付けられている。本実施形態では、装飾部３０がリボンである場合について述べるが、任意のデザインの装飾物を装飾部３０として用いることができる。
【００１３】
図７はクリップ４０の平面図、図８は底面図である。図３、図７、及び図７に示すように、クリップ４０は、基部４３から延びる環状の第１のクリップ片４１と、基部４３から延びる櫛状の第２のクリップ片４２とを有している。第２のクリップ片４２は、互いに平行に延びる複数の櫛歯部４４を含んでいる。それぞれの櫛歯部４４の先端側には円環状の押さえ部４５が形成されている。このクリップ４０は、いわゆるパッチン留めクリップであり、第１のクリップ片４１及び第２のクリップ片４２を変形させることにより、第１のクリップ片４１と第２のクリップ片４２との間に髪を挿入可能な空間が形成される開放姿勢と、第１のクリップ片４１と第２のクリップ片４２との間で髪を挟持する挟持姿勢とを切り替えることができるようになっている。
【００１４】
図２及び図３に示すように、クリップ保持部５１，５２は、髪留めベース１０の下面、すなわち面ファスナが形成された面とは反対側の髪留めベース１０の面（縁部）に例えば熱圧着や縫製５３により固定されており、クリップ４０の第１のクリップ片４１の一端側がクリップ保持部５１により保持され、クリップ４０の第１のクリップ片４１の他端側と基部４３とがクリップ保持部５２により保持されている。このとき、髪留めベース１０とクリップ保持部５１，５２との間に施された縫製５４によって第１のクリップ片４１が適切な位置に位置決めされる。なお、クリップ保持部５１，５２の下面に面ファスナを形成してもよい。
【００１５】
次に、上述した構成の髪留め具１の使用方法について説明する。まず、クリップ４０の第１のクリップ片４１及び第２のクリップ片４２を開放姿勢にした状態で、例えば後頭部の頭髪の一部を第１のクリップ片４１と第２のクリップ片４２との間に挿入し、第１のクリップ片４１及び第２のクリップ片４２を変形させて挟持姿勢にすることで第１のクリップ片４１と第２のクリップ片４２との間に後ろ髪を挟持する。これにより、髪留め具１を後ろ髪１１０に固定することができる（図９Ａ参照）。
【００１６】
次に、ねじり髪保持部２０の第３の面ファスナ部２１を髪留めベース１０の第１の面ファスナ部１１から剥がし、例えば左側の前髪の一部を取り分けてねじり、ねじった前髪を髪留めベース１０の第１の面ファスナ部１１の左側上方に持ってきた後、ねじり髪保持部２０の第３の面ファスナ部２１を髪留めベース１０の第１の面ファスナ部１１に貼り付ける。これにより、左側のねじり髪束１２０をねじり髪保持部２０の第３の面ファスナ部２１と髪留めベース１０の第１の面ファスナ部１１との間に保持することができる（図９Ｂ参照）。
【００１７】
そして、ねじり髪保持部２０の第４の面ファスナ部２２を髪留めベース１０の第２の面ファスナ部１２から剥がし、右側の前髪の一部を取り分けてねじり、ねじった前髪を髪留めベース１０の第２の面ファスナ部１２の右側上方に持ってきた後、ねじり髪保持部２０の第４の面ファスナ部２２を髪留めベース１０の第２の面ファスナ部１２に貼り付ける。これにより、右側のねじり髪束１３０をねじり髪保持部２０の第４の面ファスナ部２２と髪留めベース１０の第２の面ファスナ部１２との間に保持することができる。このようにしてねじりヘアを簡単に作ることができる（図９Ｃ参照）。
【００１８】
上述のように、本実施形態によれば、クリップ４０によって髪留め具１を後ろ髪１１０に固定できるので、ねじりヘアを作っている途中で髪留め具１がずれ落ちることがなく、また両手を使ってねじりヘアを作ることができる。また、髪留め具１を後ろ髪１１０に固定した状態で、左右のねじり髪束１２０，１３０を別々にねじり髪保持部２０に保持することができるので、ピンなどを使用することなく簡単にねじりヘアを作ることができる。さらに、ねじり髪束の保持のために面ファスナを用いているので、ねじり髪束の量が比較的多くてもねじり髪保持部２０にねじり髪束を保持することができ、またねじり髪束のねじり戻しを防止することができる。
【００１９】
また、クリップ４０の第２のクリップ片が、複数の櫛歯部４４を含む櫛状となっており、先端に円環状の押さえ部４５を有しているので、髪留め具１をしっかりと後ろ髪１１０に固定することができる。
【００２０】
本実施形態では、髪留め具１を用いてねじりヘアを作る例について説明したが、これに限られるものでなく、本発明に係る髪留め具を用いてねじりヘア以外のアレンジヘアも作ることができることは言うまでもない。
【００２１】
なお、本明細書において使用した用語「上面」、「下面」、その他の位置関係を示す用語は、図示した実施形態との関連において使用されているのであり、髪留め具の相対的な位置関係によって変化するものである。
【００２２】
これまで本考案の好ましい実施形態について説明したが、本考案は上述の実施形態に限定されず、その技術的思想の範囲内において種々異なる形態にて実施されてよいことは言うまでもない。
【符号の説明】
【００２３】
１    髪留め具
１０    髪留めベース
１１    第１の面ファスナ部
１２    第２の面ファスナ部
１３    中央部
２０    ねじり髪保持部（アレンジ髪保持部）
２１    第３の面ファスナ部
２２    第４の面ファスナ部
２３    取付部
３０    装飾部
４０    クリップ
４１    第１のクリップ片
４２    第２のクリップ片
４３    基部
４４    櫛歯部
４５    押さえ部
５１，５２    クリップ保持部
１１０    後ろ髪
１２０    ねじり髪束
１３０    ねじり髪束
【図１】
0003192376.tif 000003
【図２】
0003192376.tif 000004
【図３】
0003192376.tif 000005
【図４】
0003192376.tif 000006
【図５】
0003192376.tif 000007
【図６】
0003192376.tif 000008
【図７】
0003192376.tif 000009
【図８】
0003192376.tif 000010
【図９Ａ】
0003192376.tif 000011
【図９Ｂ】
0003192376.tif 000012
【図９Ｃ】
0003192376.tif 000013